(57)【要約】      （修正有）【課題】犬の散歩は雨の日も風のある日も散歩はつきもので、出かけた時に犬の糞を地面に落とさず、又地面を汚さず、そして手も汚さず糞を処理することができる犬の糞取り器を提供する。【解決手段】犬が糞をする姿勢をとったら取っ手７を持ち、糞受け枠取り付け台１を外側に倒し、犬のお尻の下に糞受け袋５が来るように持って行く。糞を地面に落とすこと無く簡単に受け入れる事が出来る。糞受け袋取り付け枠及び伸縮棒接続部品取り付け台１は、伸縮棒接続部品２を支点に折りたたむ事が出来、持運びも楽な糞取り器である。【選択図】図１
0003204359.tif 000002
【実用新案登録請求の範囲】
【請求項１】
この器具［図１］は犬の糞を地面に落とさず受け入れる事を目的とした犬の糞取り器である
【請求項２】
糞受け袋取り付け枠及び伸縮棒接続部品取り付け台（１）は伸縮棒接続部品（２）を支点に、前後に倒す事が出来、また糞を受けやすい用に１４５度の角度で止められる用になっている
【請求項３】
糞受け袋取付け枠（３）は楕円形にする事で枠が犬の後ろ足に当たらない用な形にしてある
【請求項４】
伸縮棒（４）は状況に応じて伸ばしたり、縮めたりして使用する事が出来る
【請求項５】
糞受け袋（５）は形に切り取った両端を袋状に縫い、上部は糞受け袋取付け枠（３）が通るように隙間を開けて縫い、その一部を糞受け袋取り付け枠及び伸縮棒接続部品取り付け台（１）のはめ込み幅で２か所に穴をあける
【請求項６】
ビニール袋挟み込み用部品（６）は中心をネジで止めて固定して、そこにビニール袋を挟み込み、風で飛ぶのを防ぐ事を目的としている
【請求項７】
糞受け袋取付け枠（３）は糞受け袋（５）の１か所の穴から通していき、もう１か所の穴から抜き取り、糞受け袋取り付枠及び伸縮棒接続部品取り付台（１）の２ヶ所の穴にはめ込む事で犬の糞を受入れる部分が固定される
【請求項８】
ビニール袋（８）は糞受け袋（５）にビニール袋を入れ余った部分を外側に折り返して糞受け袋を包み込む用に、取り付台（１）の裏側に回しビニール袋挟み込み部品（６）に左右交互にビニール袋を挟み込む
【考案の詳細な説明】
【技術分野】
【０００１】本考案は犬の糞を地面に落とさず簡単に受け入れられる器具である
【背景技術】
【０００２】犬の散歩は毎日の事で、雨の日も風のある日も、いつどこで糞をするかわからない、散歩の時の糞の処理は地面に落としたのを拾うか、新聞紙かちらしを下に敷いて、人目を気にしながら糞の処理をしていた、また風のある日は飛び雨の日はやぶれる
【考案の概要】
【考案が解決しようとする課題】
【０００３】犬が散歩に行った時、犬の糞を地面に落とさず処理する事を目的とした、糞取り器である
【課題を解決するための手段】
【０００４】犬は紙の敷けない所でも草が生い茂っている所でも雨の日も風のある日でも糞をする。又お腹の調子が悪いとやわらかい糞もする。よってこれらの問題を解決出来るように考案してある
【考案の効果】
【０００５】本考案は犬の糞の処理がすむうずに出来、持ち運びが楽で取り扱いが簡単。地域の糞対策及び美化運動にも役立ち、雨の日も風のある日も簡単に使用する事が出来る器具である。人目を気にすることなく、気持ちよく犬の散歩が出来るようになった
【図面の簡単な説明】
【０００６】
【図１】糞取り器の全体図
【図２】糞取り器の折りたたみ図
【図３】糞受け袋取り付け枠及び伸縮棒接続部品取り付け台
【図４】伸縮棒接続部品
【図５】糞受け袋取り付枠
【図６】伸縮棒
【図７】糞受け袋
【図８】ビニール袋挟み込み用部品
【図９】取っ手
【図１０】糞受け袋とビニール袋の挟み込み方の背面図
【図１１】伸縮棒案内部品
【図１２】伸縮棒抜け止め部品
【図１３】接続用丸棒
【考案を実施するための形態】
【０００７】伸縮棒接続部品を基準に糞受け袋取り付け枠が固定された、伸縮棒接続部品取り付け台を前に倒し、ビニール袋をかぶせた糞受け袋を、犬が糞をする体制に入ったら後ろ足の間に入れて、お尻の下に来るように持って行き、糞を受け入れる
【実施例】
【０００８】糞受け袋取り付け枠及び伸縮棒接続部品取り付け台（１）と伸縮棒接続部品（２）はプラスチックで、前後に動くように中心の穴に丸棒（１１）を入れて約１４５度の角度に止められる用になっている【０００９】糞受け袋取り付け枠（３）はステンレスの丸棒を使い、糞受け袋（５）は雨に強い素材を使用、ビニール袋（８）は糞受け袋を包み込む様に裏側に回してビニール袋挟み込み用部品（６）に挟み込む【００１０】伸縮棒（４）は伸縮棒案内部品（９）と伸縮棒抜け止め部品（１０）で、プラスチックで形成され、状況に合わせて伸ばしたり、縮めたりさせて使用する
【符号の説明】
【００１１】  １  糞受け袋取り付け枠及び伸縮棒接続部品取り付け台
２  伸縮棒接続部品
３  糞受け袋取り付け枠
４  伸縮棒
５  糞受け袋
６  ビニール袋挟み込み用部品
７  取っ手
８  ビニール袋
９  伸縮棒案内部品
１０  伸縮棒抜け止め部品
１１  接続用丸棒
【図１】
0003204359.tif 000003
【図２】
0003204359.tif 000004
【図３】
0003204359.tif 000005
【図４】
0003204359.tif 000006
【図５】
0003204359.tif 000007
【図６】
0003204359.tif 000008
【図７】
0003204359.tif 000009
【図８】
0003204359.tif 000010
【図９】
0003204359.tif 000011
【図１０】
0003204359.tif 000012
【図１１】
0003204359.tif 000013
【図１２】
0003204359.tif 000014
【図１３】
0003204359.tif 000015
【手続補正書】
【提出日】平成28年3月8日(2016.3.8)
【手続補正１】
【補正対象書類名】実用新案登録請求の範囲
【補正対象項目名】全文
【補正方法】変更
【補正の内容】
【実用新案登録請求の範囲】
【請求項１】
糞受け袋（５）を取り付ける糞受け袋取り付け枠（３）と、前記糞受け袋取り付け枠（３）を備える伸縮棒接続部品取り付け台（１）とを備え、前記伸縮棒接続部品取り付け台（１）は接続用丸棒（１１）を備え、伸縮棒接続部品（２）は、接続用丸棒（１１）を支点として前記伸縮棒接続部品取り付け台（１）に取り付けられ、前記糞受け袋取り付け枠（３）及び前記伸縮棒接続部品取り付け台（１）を、前後に倒す事が出来ることを特徴とする犬の糞取り器。
【請求項２】
糞受け袋取り付け枠（３）及び伸縮棒接続部品取り付け台（１）は伸縮棒接続部品（２）を支点に、糞を受けやすいように１４５度の角度で止められる構成とされていることを特徴とする請求項１に記載された犬の糞取り器。
【請求項３】
前記糞受け袋取り付け枠（３）は楕円形にする事で枠が犬の後ろ足に当たらないような形にしてあることを特徴とする請求項１乃至２に記載された犬の糞取り器。
【請求項４】
前記伸縮棒接続部品（２）には伸縮棒（４）を接続させており、前記伸縮棒（４）は状況に応じて伸ばしたり、縮めたりして使用する事が出来ることを特徴とする請求項１乃至３のいずれか一項に記載された犬の糞取り器。
【請求項５】
前記糞受け袋（５）は形に切り取った両端を袋状に縫い、上部は前記糞受け袋取り付け枠（３）が通るように隙間を開けて縫い、その一部を前記糞受け袋取り付け枠及び前記伸縮棒接続部品取り付け台（１）のはめ込み幅で２か所に穴があけられていることを特徴とする請求項１乃至４のいずれか一項に記載された犬の糞取り器。
【請求項６】
伸縮棒接続部品取り付け台（１）はビニール袋挟み込み用部品（６）をそなえ、前記ビニール袋挟み込み用部品（６）は中心をネジで止めて固定して、そこにビニール袋を挟み込むことを特徴とする請求項１乃至５のいずれか一項に記載された犬の糞取り器。
【請求項７】
前記糞受け袋取り付け枠（３）は前記糞受け袋（５）の１か所の穴から通していき、もう１か所の穴から抜き取り、前記糞受け袋取り付け枠（３）及び伸縮棒接続部品取り付け台（１）の２か所の穴にはめ込む事で犬の糞を受け入れる部分が固定される構造としたことを特徴とする請求項１乃至６のいずれか一項に記載された犬の糞取り器。
【請求項８】
ビニール袋（８）は前記糞受け袋（５）にビニール袋を入れ余った部分を外側に折り返して糞受け袋を包み込む用に、前記糞受け袋取り付け枠（３）及び伸縮棒接続部品取り付け台（１）の裏側に回しビニール袋挟み込み用部品（６）に左右交互にビニール袋を挟み込むことを特徴とする請求項１乃至７のいずれか一項に記載された犬の糞取り器。